(57)【要約】【課題】  中表延反と外表延反とで原反ロールの回転方向が切替えられても、生地のだぶつきを解消させることが可能な、原反ロール解反装置を提供する。【解決手段】  原反ロール解反装置１０は、原反ロール５Ｒを、周方向に沿う下方の２箇所の支持部１１，１２で支持しながら回転するように駆動する駆動支持部１３を備え、原反ロール５Ｒから解反した生地５を繰り出して展開する。駆動支持部１３の２箇所の支持部１１，１２に対し、切替え手段１６と駆動手段１７とが設けられる。切替え手段１６は、原反ロール５Ｒの駆動方向を、原反ロール５Ｒからの生地５の繰り出しが図示のような中表延反となる回転方向と、外表延反となる回転方向とで切替える。駆動手段１７は、原反ロール５Ｒを回転するように駆動する速度を、図示のような中表延反では回転の周方向で下流側となる支持部１１の方が上流側となる支持部１２よりも大きくなるようにする。【選択図】図１
2018058681.tif 000002
【特許請求の範囲】
【請求項１】
原反ロールを、周方向に沿う下方の２箇所で支持しながら回転するように駆動する駆動支持部を備え、原反ロールから解反した生地を一側方に繰り出して展開する原反ロール解反装置において
駆動支持部の２箇所の支持部に対し、
原反ロールの駆動方向を、原反ロールからの生地の繰り出しが中表延反となる回転方向と外表延反となる回転方向とで切替える切替え手段と、
原反ロールを支持しながら回転するように駆動する速度を、原反ロールの回転の周方向で下流側となる支持部の方が上流側となる支持部よりも大きくなるようにする駆動手段と、
を含むことを特徴とする原反ロール解反装置。
【請求項２】
前記２箇所の支持部は回転機構で形成され、
前記駆動手段は、前記下流側の回転機構を前記上流側の回転機構よりも回転の周速度が大きくなるように駆動する、
ことを特徴とする請求項１記載の原反ロール解反装置。
【請求項３】
前記駆動手段は、
駆動源となって一方の回転機構を駆動し、前記切替え手段によって回転方向が切替えられる単一のモーターと、
モーターの駆動を受ける一方の回転機構から他方の回転機構に増速して回転を伝達する増速機構と、
該一方の回転機構から該他方の回転機構に減速して回転を伝達する減速機構と、
回転機構と増速機構および減速機構との間にそれぞれ設けられる第１のクラッチおよび第２のクラッチと、
を含むことを特徴とする請求項２記載の原反ロール解反装置。
【請求項４】
前記第１のクラッチは、前記一方の回転機構と前記増速機構との間に設けられ、一方の回転方向のみで回転を伝達するワンウエイクラッチであり、
前記第２のクラッチは、回転を伝達するか否かを切替える電磁クラッチである、
ことを特徴とする請求項３記載の原反ロール解反装置。
【請求項５】
前記原反ロールから生地を繰り出すように案内するガイドローラーを、原反ロールに前記一側方で隣接する位置に設け、
ガイドローラーを前記駆動支持部とは独立して一方向に回転駆動する。
ことを特徴とする請求項１〜４のいずれか一つに記載の原反ロール解反装置。
【発明の詳細な説明】
【技術分野】
【０００１】
本発明は、生地が巻回されている原反ロールから生地を巻戻して広げる原反ロール解反装置に関する。
【背景技術】
【０００２】
従来から、衣服などの布帛縫製品の生地は、巻回された原反ロールの状態で供給される。原反ロールは、延反機で巻戻して生地を広げる解反を行い、裁断機で生地から縫製用のパーツに裁断されることが多い。延反機は、生地の解反のための原反ロール解反装置を備える。解反の際に、原反ロールは回転可能な状態で支持される。
【０００３】
原反ロールの支持は、中心軸側から行うと、中心軸の着脱を要し、生地を巻戻す際の周速を一定にすることが困難などの問題があるので、外周側から行われる。巻戻された生地は、一旦たるみを持たせて、巻きぐせなどを除去する（たとえば、特許文献１〜３参照）。
【０００４】
特許文献１，３では、原反ロールの外周を、間隔をあけて設置する２本のローラーで支持し、ローラーを回転させて回転駆動する。特許文献２では、側方から見てＶ字状に架け渡された２本のベルトで原反ロールの外周を支持しながら回転駆動する。
【先行技術文献】
【特許文献】
【０００５】
【特許文献１】実開平６−０６５３６１号公報
【特許文献２】特開平６−３１６３５８号公報
【特許文献３】特開２０１５−２１２１８１号公報
【発明の概要】
【発明が解決しようとする課題】
【０００６】
特許文献２では、原反ロールから巻戻した生地の移動経路の途中に放反領域を設け、放反領域で生地のたるみ量を監視しながら、原反ロールを間欠的に回転駆動している。特許文献３では、原反ロールの回転駆動の速度と、原反ローラから巻戻された生地を送り込む経路での送り速度とを制御し、生地を適正な範囲でたるませて、送り出される生地にシワなどが生じないようにしている。特許文献１〜３での原反ロールの支持と回転駆動とは、周方向に間隔をあけた２箇所で行われるけれども、この間隔で生地がだぶつく場合がある。原反ロールの外周で生地がだぶついてしまうと、放反でたるませても、十分に解消させることができず、解反の安定性や延反精度に悪影響を与える。
【０００７】
特許文献１には、原反ロールからの生地の巻戻しについて、巻回されている内側が表面となる中表延反と、外側が表面となる外表延反とを切替えて行うことが可能な構成が開示されている。このような構成では、中表延反と外表延反とで原反ロールを載置する際の巻方向を異ならせるので載置後に回転させる方向も切替える。ただし原反ロールの回転方向を切替えると、生地を送り込む方向も切替えられ、両方向で生地のだぶつきを解消させることは一層困難になると考えられる。
【０００８】
本発明の目的は、中表延反と外表延反とで原反ロールの回転方向を切替えても、生地のだぶつきを解消させることが可能な、原反ロール解反装置を提供することである。
【課題を解決するための手段】
【０００９】
本発明は、原反ロールを、周方向に沿う下方の２箇所で支持しながら回転するように駆動する駆動支持部を備え、原反ロールから解反した生地を一側方に繰り出して展開する原反ロール解反装置において
駆動支持部の２箇所の支持部に対し、
原反ロールの駆動方向を、原反ロールからの生地の繰り出しが中表延反となる回転方向と外表延反となる回転方向とで切替える切替え手段と、
原反ロールを支持しながら回転するように駆動する速度を、原反ロールの回転の周方向で下流側となる支持部の方が上流側となる支持部よりも大きくなるようにする駆動手段と、
を含むことを特徴とする原反ロール解反装置である。
【００１０】
また本発明で、前記２箇所の支持部は回転機構で形成され、
前記駆動手段は、前記下流側の回転機構を前記上流側の回転機構よりも回転の周速度が大きくなるように駆動する、
ことを特徴とする。
【００１１】
また本発明で、前記駆動手段は、
駆動源となって一方の回転機構を駆動し、前記切替え手段によって回転方向が切替えられる単一のモーターと、
モーターの駆動を受ける一方の回転機構から他方の回転機構に増速して回転を伝達する増速機構と、
該一方の回転機構から該他方の回転機構に減速して回転を伝達する減速機構と、
回転機構と増速機構および減速機構との間にそれぞれ設けられる第１のクラッチおよび第２のクラッチと、
を含むことを特徴とする。
【００１２】
また本発明で、前記第１のクラッチは、前記一方の回転機構と前記増速機構との間に設けられ、一方の回転方向のみで回転を伝達するワンウエイクラッチであり、
前記第２のクラッチは、回転を伝達するか否かを切替える電磁クラッチである、
ことを特徴とする。
【００１３】
また本発明は、前記原反ロールから生地を繰り出すように案内するガイドローラーを、原反ロールに前記一側方で隣接する位置に設け、
ガイドローラーを前記駆動支持部とは独立して一方向に回転駆動する。
ことを特徴とする。
【発明の効果】
【００１４】
本発明によれば、原反ロールからの生地の繰り出しが中表延反であっても外表延反であっても、切替え手段で原反ロールの回転方向を切替えることができる。駆動手段は、支持部が原反ロールを支持しながら回転するように駆動する速度を、回転の周方向で下流側となる支持部の方が上流側となる支持部よりも大きくなるようにするので、下流側と上流側との支持部間での生地の停滞を防ぎ、だぶつきを解消させることができる。
【００１５】
また本発明によれば、２箇所の支持部は回転機構で形成し、下流側の回転機構を上流側の回転機構よりも回転の周速度が大きくなるように駆動するので、中表延反と外表延反とで原反ロールの回転方向を切替えても、生地のだぶつきを解消させることができる。
【００１６】
また本発明によれば、駆動手段は、一方の支持部の回転機構をモーターで駆動し、他方の回転機構は増速機構と減速機構とのいずれか介するように、クラッチで切替えて駆動することができる。２箇所の支持部の駆動源として単一のモーターを使用して、構成をコンパクトにすることができる。
【００１７】
また本発明によれば、クラッチとしてワンウエイクラッチと電磁クラッチとを使用するので、ワンウエイクラッチのみでは困難な切替えの制御を、電磁クラッチの併用で単純化し、電磁クラッチのみ使用する場合よりも低コスト化することができる。
【００１８】
また本発明によれば、原反ロールから生地を繰り出すように案内するガイドローラーを原反ローラーに一側方で隣接する位置に設け、駆動支持部とは独立して一方向に回転駆動する。中表延反と外表延反とで駆動支持部が原反ロールを回転させるように駆動する方向を切替えても、影響を受けずに、生地を同様に原反ロールから繰り出すことができる。
【図面の簡単な説明】
【００１９】
【図１】図１は、本発明の一実施例としての原反ロール解反装置１０を備える延反機１の概略的な構成を示す簡略化した左側面図である。
【図２】図２は、図１の原反ロール解反装置１０の平面図である。
【図３】図３は、図１の原反ロール解反装置１０の右側面図である。
【図４】図４は、図１の原反ロール解反装置１０の左側面図である。
【図５】図５は、図１の原反ロール解反装置１０で中表延反と外表延反とを切替えて行う状態を示す簡略化した左側面図である。
【発明を実施するための形態】
【００２０】
以下、図１〜図５で、本発明の一実施例としての延反機１が備える原反ロール解反装置１０の構成および動作を説明する。説明の便宜上、説明対象の図には記載されていない部分について、他の図に記載される参照符を付して言及する場合がある。
【実施例】
【００２１】
図１は、本発明の一実施例としての原反ロール解反装置１０を備える延反機１の概略的な構成を示す。延反機１は、延反テーブル２と、延反テーブル２の上面の両側端縁に沿って敷設される左右一対の走行レール上を前後方向に往復走行する走行台車３とを含む。走行台車３は、駆動源を有する車輪４を備え、前端側から生地５を延反テーブル２の上面に繰り出すことができる。
【００２２】
生地５は、巻回された状態の原反ロール５Ｒとして走行台車３に搭載され、原反ロール５Ｒから巻戻された生地５が延反テーブル２上に繰り出されると、カッター６で切断される。カッター６と原反ロール５Ｒとの間の経路には、生地案内板７、繰出しベルト８、および放反領域９が設けられる。カッター６は、紙面に垂直な方向に生地５を切断することができる。生地案内板７は、生地５をカッター６まで案内する。カッター６および生地案内板７は、延反テーブル２の上面に生地５を積層させるため、生地５の枚数に応じて昇降移動することができる。生地案内板７には、繰出しベルト８で繰り出される生地５が送り込まれる。繰出しベルト８は、放反領域９でたるませて巻きぐせなどを除去した生地５を引込む。
【００２３】
原反ロール解反装置１０は、原反ロール５Ｒを、周方向に沿う下方の２箇所の支持部１１，１２で支持しながら回転するように駆動する駆動支持部１３を備え、原反ロール５Ｒから解反した生地５を延反テーブル２に繰り出す方向となる一方側、図では左側に、繰り出して展開する。原反ロール５Ｒから巻戻された生地５は、ガイドローラー１４と開閉ローラー１５との間に挟まれ、ガイドローラー１４による案内で放反領域９に送り込まれる。ガイドローラー１４は、原反ロール５Ｒから生地５を一方向に繰り出す経路の途中、すなわち原反ロールＲ５に一側方で隣接する位置に設けられる。駆動支持部１３の２箇所の支持部１１，１２に対し、切替え手段１６と駆動手段１７とが設けられる。切替え手段１６は、電気的な制御によって実現され、原反ロール５Ｒを回転するように駆動する方向を、原反ロール５Ｒからの生地５の繰り出しが図示のような中表延反となる回転方向と、外表延反となる回転方向とで切替える。駆動手段１７は、原反ロール５Ｒを回転するように駆動する速度を、図示のような中表延反では回転の周方向で下流側となる支持部１１の方が上流側となる支持部１２よりも大きくなるように駆動する。
【００２４】
図２、図３および図４は、本実施例の原反ロール解反装置１０の構成を示す。図２に示すように、原反ロール解反装置１０の主要部分は、走行台車３の左右両側に設けられるフレーム２０で支持される。フレーム２０の前端からは、支持腕２１が前方に突出するように取付けられ、支持腕２１の前端付近には、開閉腕２２の基端が揺動可能な状態で取付けられている。開閉腕２２の先端付近には、開閉ローラー１５が回転可能な状態で支持される。フレーム２０の前端付近ではガイドローラー１４が支持される。開閉腕２２の揺動で開閉ローラー１５が下降すると、ガイドローラー１４の外周と開閉ローラー１５の外周とが接触する状態で閉じる。ガイドローラー１４と開閉ローラー１５とは、開いた状態の間隔に生地５を通し、閉じた状態で生地５を原反ロール５Ｒから巻戻して引出す。フレーム２０に取付けられるモーター２３の出力軸にはプーリ２４が取付けられ、ガイドローラー１４の中心軸にはプーリ２５が取付けられる。プーリ２４，２５間には、タイミングベルト２６が架渡される。ガイドローラー１４は、原反ロール５Ｒから生地５を繰り出すように案内するため、駆動支持部１３とは独立して一方向に回転駆動される。生地５の繰り出しを円滑に行うためには、ガイドローラー１４は解反ローラー１１ｒ，１２ｒよりも周速度が大きいことが好ましい。
【００２５】
原反ロール５Ｒを支持する駆動支持部１３の２箇所の支持部１１，１２は回転機構である解反ローラー１１ｒ，１２ｒで形成される。解反ローラー１１ｒ，１２ｒに代えて、特許文献２に開示されているようなＶ字状のベルトを使用することも可能である。ただし、一方のベルトと他方のベルトとを共通に支持する下部の軸に対しては、各ベルトがフリーに周回する状態となり、各ベルトは上部の軸で独立して駆動するようにしておく必要がある。回転機構の解反ローラー１１ｒ，１２ｒの径などを同等に形成しておけば、中表延反と外表延反とで回転方向を切替えても、原反ロール５Ｒに対する支持と駆動とを同等に行うことができ、回転速度に対応する周速度で回転させることができる。中表延反と外表延反との切替えを行っても、回転の周方向で下流側となる解反ローラー１１ｒ，１２ｒを上流側の解反ローラー１２ｒ，１１ｒよりも周速度が大きくなるように駆動するので、生地５のだぶつきを解消させることができる。駆動支持部１３は、爪などによる間欠的な送りで原反ロールを間欠的に角変位させて駆動するようにしてもよい。
【００２６】
駆動手段１７は、モーター３０、ワンウエイクラッチ３１、電磁クラッチ３２、増速機構３３および減速機構３４を含む。図４に示すモーター３０は、単一の駆動源となって一方の解反ローラー１１ｒを駆動し、切替え手段１６によって回転方向が切替えられる。ワンウエイクラッチ３１は、軸の回転を伝達する部分に、一方向のみ共に回転するように伝達し、他方の回転は伝達しないで空転するような機械的構成を有する。電磁クラッチ３２は、回転の伝達を、通電による電磁力を介して行い、通電しなければ回転を伝達しない。増速機構３３は、駆動側となる一方の解反ローラー１１ｒから従動側となる他方の解反ローラー１２ｒに増速して回転を伝達する。減速機構３４は、一方の解反ローラー１１ｒから他方の解反ローラー１２ｒに減速して回転を伝達する。
【００２７】
図４に示すように、モーター３０の出力軸にはスプロケット３５が取付けられる。一方の解反ローラー１１ｒの軸にはスプロケット３６が取付けられる。スプロケット３５，３６間には、チェーン３７が架渡され、回転が伝達される。図４および図２に示すように、一方の解反ローラー１１ｒの軸と他方の解反ローラー１２ｒの軸との間に設けられる増速機構３３は、解反ローラー１１ｒ，１２ｒの軸にそれぞれ取付けられるスプロケット３３ａ，３３ｂと、スプロケット３３ａ，３３ｂ間に架渡されるチェーン３３ｃとを含む。スプロケット３３ａは、スプロケット３３ｂよりも歯数が多く、スプロケット３３ａ，３３ｂ間での回転は、増速される。図２および図３に示すように、解反ローラー１１ｒ，１２ｒの軸間には、減速機構３４も設けられる。減速機構３４は、解反ローラー１１ｒ，１２ｒの軸にそれぞれ取付けられるスプロケット３４ａ，３４ｂと、スプロケット３４ａ，３４ｂ間に架渡されるチェーン３４ｃとを含む。スプロケット３４ａは、スプロケット３４ｂよりも歯数が少なく、スプロケット３４ａ，３４ｂ間での回転は、減速される。
【００２８】
図２に示すように、増速機構３３のスプロケット３３ａの内部で解反ローラー１１ｒの軸との間には、ワンウエイクラッチ３１が収納される。ワンウエイクラッチ３１は、外表延反で、一方の解反ローラー１１ｒから増速機構３３を介して他方の解反ローラー１２ｒに増速して回転を伝達するための第１のクラッチとして使用される。他方の解反ローラー１２ｒの軸と減速機構３４のスプロケット３４ｂとの間には、第２のクラッチとしての電磁クラッチ３２が挿入される。電磁クラッチ３２は作用させず、解反ローラー１１ｒから減速機構３４を介して解反ローラー１２ｒに減速されて回転が伝達されるのを防ぐ。中表延反では、解反ローラー１１ｒ，１２ｒの回転方向が外表延反とは反転し、ワンウエイクラッチ３１は作用しないので、増速機構３３を介する解反ローラー１２ｒへの回転の伝達は行われない。電磁クラッチ３２を作用させ、解反ローラー１１ｒから減速機構３４を介して解反ローラー１２ｒに減速して回転を伝達する。以上のように、駆動手段１７は、中表延反と外表延反とでそれぞれ下流側となる解反ローラー１１ｒ，１２ｒをそれぞれ上流側となる解反ローラー１２ｒ，１１ｒよりも高速回転させる。
【００２９】
本実施例の駆動手段１７では、一方の支持部１１の解反ローラー１１ｒをモーター３０で駆動し、他方の解反ローラー１２ｒは増速機構３３と減速機構３４とのいずれかを、クラッチ３１，３２で切替えて駆動することができる。各解反ローラー１１ｒ，１２ｒにそれぞれ駆動源を設ければ、ワンウエイクラッチ３１、電磁クラッチ３２、増速機構３３および減速機構３４を設けなくてもよい。しかしながら、本実施例のように、２箇所の支持部１１，１２の駆動源として単一のモーター３０を含む駆動手段１７を使用する方が、構成をコンパクトにすることができる。
【００３０】
なお、本実施例では、クラッチとしてワンウエイクラッチ３１と電磁クラッチ３２とを使用する。ワンウエイクラッチ３１を使用しないで、電磁クラッチ３２のみを２つ使用してもよい。両方にワンウエイクラッチ３１のみを設けると、機械的に干渉して、回転の伝達が停止してしまう。ワンウエイクラッチ３１は、増速機構３３の駆動側に用いる必要があるので、他方の解反ローラー１２ｒをモーター３０で駆動する場合、解反ローラー１２ｒの軸と増速機構３３との間に、本実施例と同様に設ける。電磁クラッチ３２は駆動側と従動側とのいずれにも用いることができるので、たとえば、駆動側に電磁クラッチ３２を２つ用いることもできる。ワンウエイクラッチ３１は、電磁クラッチ３２よりも配置に制限を受けるけれども、増速機構３３のスプロケット３３ａの内部に収容してモーター３０で駆動する解反ローラー１１ｒの軸との間で使用することができ、電磁クラッチ３２のみ使用する場合よりも省スペース化および低コスト化することができる。
【００３１】
また、増速機構３３および減速機構３４は、スプロケット３３ａ，３３ｂ；３４ａ，３４ｂとチェーン３３ｃ，３４ｃとの組合せばかりではなく、タイミングベルトとプーリーとの組合せや歯車の組合せなどによる伝動手段を使用してもよい。
【００３２】
図５は、図１の原反ロール解反装置１０で中表延反と外表延反とを切替えて行う状態を示す。図５（ａ）に示す中表延反では、原反ロール５Ｒが時計回り方向に回転するように解反ローラー１１ｒ，１２ｒで外周を支持しながら、回転速度が下流側となる一方側の解反ローラー１１ｒの方が他方側の解反ローラー１２ｒよりも大きくなるように駆動する。図５（ｂ）に示す外表延反では、原反ロール５Ｒが反時計回り方向に回転するように解反ローラー１１ｒ，１２ｒで外周を支持しながら、回転速度が下流側となる他方側の解反ローラー１２ｒの方が一方側の解反ローラー１１ｒよりも大きくなるように駆動する。解反ローラー１１ｒ，１２ｒ上に載置する原反ロール５Ｒの巻方向に従う生地の繰り出しが中表延反であっても外表延反であっても、切替え手段１６が原反ロール５Ｒの回転方向を延反に適合するように切替えることができる。駆動手段１７は、回転の周方向で下流側となる支持部の周速度の方が上流側となる支持部の周速度よりも大きくなるように解反ローラー１１ｒ，１２ｒを駆動するので、下流側と上流側との支持部１１，１２間での生地５の停滞を防ぎ、だぶつきを解消させることができる。
【００３３】
なお、中表延反と外表延反との切替えに関し、特許文献１では外表延反での生地の経路が原反ロールと中表延反での生地の経路との下方を通過するような構成を有する。本実施例では、そのような構成は不要であり、中表延反と外表延反とで、原反ロール５Ｒからガイドローラー１４に直接生地５を引出すことができ、原反ロール５Ｒを載置して切替える際に必要な作業の簡易化を図ることができる。中表延反と外表延反とで、駆動手段１７のモーター３０は、切替え手段１６によって回転方向が切替えられるけれども、独立した駆動源としてのモーター２３で回転駆動するガイドローラー１４は、一方向の回転で安定して生地５を放反領域９に案内することができる。
【００３４】
本実施例で、原反ロール解反装置１０は、延反機１の走行台車３に搭載しているけれども、延反された生地５を裁断する裁断機の搬入側に据付けることもできる。裁断機の裁断テーブルに搬送機能があれば、解反した生地５を裁断テーブル上に繰り出し、搬送して広げることができる。
【符号の説明】
【００３５】
１  延反機
５  生地
５Ｒ  原反ロール
１０  原反ロール解反装置
１１，１２  支持部
１１ｒ  一方の解反ローラー
１２ｒ  他方の解反ローラー
１３  駆動支持部
１４  ガイドローラー
１５  開閉ローラー
１６  切替え手段
１７  駆動手段
２０  フレーム
２１  支持腕
２２  開閉腕
２３，３０  モーター
３１  ワンウエイクラッチ
３２  電磁クラッチ
３３  増速機構
３４  減速機構
【図１】
2018058681.tif 000003
【図２】
2018058681.tif 000004
【図３】
2018058681.tif 000005
【図４】
2018058681.tif 000006
【図５】
2018058681.tif 000007